【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
文書情報を編集処理可能な文書処理装置であって、
保存する操作指示を入力可能な操作指示入力手段と、
前記操作指示入力手段により入力された操作指示を文書情報と共に保存する操作指示保存手段と、
保存された操作指示に対応する画像を表示する操作指示表示手段と、
前記操作指示表示手段により表示された画像が指定された場合、当該画像に対応する操作指示を前記操作指示保存手段より読み出して、前記文書情報に対して前記操作指示を実行する操作指示実行手段と
を備えることを特徴とする文書処理装置。
【請求項２】
前記文書情報は、複数の階層からなる階層構造を有し、前記操作指示入力手段は、各階層の単位を操作対象として操作指示を入力でき、前記操作指示入力保存手段は、前記各階層の単位に対する操作を少なくとも１つ保存可能であることを特徴とする請求項１に記載の文書処理装置。
【請求項３】
前記操作指示入力手段は、操作指示の選択肢を表示し、前記選択肢から操作者が選択することで操作指示を入力可能であることを特徴とする請求項１または２に記載の文書処理装置。
【請求項４】
前記操作指示入力手段は、操作者による前記文書情報の操作手順を記録することによって前記操作指示を入力可能であることを特徴とする請求項１または２に記載の文書処理装置。
【請求項５】
前記操作指示入力手段は、操作指示とともにコメントを入力可能であり、前記操作指示保存手段は操作指示とともにコメントを保存可能であり、前記操作指示表示手段は、前記操作指示保存手段により保存された操作指示及びコメントあるいはそのいずれか一方を表示可能であることを特徴とする請求項１乃至３のいずれか１項に記載の文書処理装置。
【請求項６】
前記操作指示保存手段は、前記コメントの初期的な内容として、操作指示の内容を表すコメントを保存することを特徴とする請求項５記載の文書処理装置。
【請求項７】
前記操作指示表示手段は、前記文書情報の編集時には前記操作指示に対応する画像の表示を行い、印刷時には表示を行う、あるいは行わないことを選択可能であることを特徴とする請求項１乃至６のいずれか１項に記載の文書処理装置。
【請求項８】
前記操作指示実行手段は、前記操作指示表示手段により表示される前記画像を操作者がクリック動作するか、あるいは操作メニューから操作指示を指定することで、前記画像に対応する操作指示あるいは前記操作メニューから指定された操作指示を実行することを特徴とする請求項１乃至７のいずれか１項に記載の文書処理装置。
【請求項９】
前記操作指示実行手段は、操作指示を実行すると当該操作指示を前記操作指示保存手段から削除することを特徴とする請求項１乃至請求項８のいずれか１項に記載の文書処理装置。
【請求項１０】
構造化文書を編集処理可能な文書処理装置であって、
前記構造化文書の構造に関する編集操作を入力可能な操作入力手段と、
前記操作入力手段により入力された編集操作に応じた編集指示情報を、前記構造化文書の一部として保存する保存手段と、
操作者による指示に応じて、前記構造化文書について、前記保存手段により保存された前記編集指示情報に対応する編集処理を実行する編集処理手段と
を備えることを特徴とする文書処理装置。
【請求項１１】
文書情報を編集処理可能な文書処理方法であって、
保存する操作指示を入力可能な操作指示入力工程と、
前記操作指示入力工程により入力された操作指示を文書情報と共に保存手段により保存する操作指示保存工程と、
保存された操作指示に対応する画像を表示する操作指示表示工程と、
前記操作指示表示工程により表示された画像が指定された場合、当該画像に対応する操作指示を前記保存手段より読み出して、前記文書情報に対して前記操作指示を実行する操作指示実行工程と
を備えることを特徴とする文書処理方法。
【請求項１２】
構造化文書を編集処理可能な文書処理方法であって、
前記構造化文書の構造に関する編集操作を入力可能な操作入力工程と、
前記操作入力工程により入力された編集操作に応じた編集指示情報を、前記構造化文書の一部として保存する保存工程と、
操作者による指示に応じて、前記構造化文書について、前記保存工程により保存された前記編集指示情報に対応する編集処理を実行する編集処理工程と
を備えることを特徴とする文書処理方法。
【請求項１３】
請求呼応１乃至１０のいずれか１項に記載の各手段としてコンピュータを機能させることを特徴とするプログラム。
【請求項１４】
文書情報を編集処理可能な文書処理装置であって、
文書情報に対する操作指示内容を入力する入力手段と、
前記入力手段によって入力された操作指示内容に対応する表示情報に対して所定の操作を行うことに応じて該操作指示内容を文書情報に適用可能とする操作指示内容付きの電子原稿を作成する作成手段と、
前記作成手段によって作成された操作指示内容付きの電子原稿を送信する送信手段と
を有することを特徴とする文書処理装置。
【請求項１５】
前記入力手段によって入力された操作指示内容を実行することに応じて該操作指示内容を文書情報に適用することを許可する実行許可情報を設定する設定手段を更に有することを特徴とする請求項１４に記載の文書処理装置。
【請求項１６】
前記作成手段は、前記入力手段によって入力された操作指示内容に基づく処理を前記文書情報に対して適用せずに、当該操作指示内容を付加した電子原稿を作成することを特徴とする請求項１４または１５に記載の文書処理装置。
【請求項１７】
文書情報を編集処理可能な文書処理方法であって、
文書情報に対する操作指示内容を入力する入力工程と、
前記入力工程によって入力された操作指示内容に対応する表示情報に対して所定の操作を行うことに応じて該操作指示内容を文書情報に適用可能とする操作指示内容付きの電子原稿を作成する作成工程と、
前記作成工程によって作成された操作指示内容付きの電子原稿を送信する送信工程と
を有することを特徴とする文書処理方法。
【請求項１８】
文書情報に対する操作指示内容を入力する入力手段と、
前記入力手段によって入力された操作指示内容に対応する表示情報に対して所定の操作を行うことに応じて該操作指示内容を文書情報に適用可能とする操作指示内容付きの電子原稿を作成する作成手段と、
前記作成手段によって作成された操作指示内容付きの電子原稿を送信する送信手段と
してコンピュータを機能させることを特徴とするプログラム。
【手続補正２】
【補正対象書類名】明細書
【補正対象項目名】０００９
【補正方法】変更
【補正の内容】
【０００９】
あるいは、構造化文書を編集処理可能な文書処理装置であって、
前記構造化文書の構造に関する編集操作を入力可能な操作入力手段と、
前記操作入力手段により入力された編集操作に応じた編集指示情報を、前記構造化文書の一部として保存する保存手段と、
操作者による指示に応じて、前記構造化文書について、前記保存工程により保存された前記編集指示情報に対応する編集処理を実行する編集処理手段とを備えることを特徴とする。
あるいは、文書情報を編集処理可能な文書処理装置であって、
文書情報に対する操作指示内容を入力する入力手段と、
前記入力手段によって入力された操作指示内容に対応する表示情報に対して所定の操作を行うことに応じて該操作指示内容を文書情報に適用可能とする操作指示内容付きの電子原稿を作成する作成手段と、
前記作成手段によって作成された操作指示内容付きの電子原稿を送信する送信手段とを有することを特徴とする。